(57)【要約】【課題】利用者の趣味感に合わせた装飾を容易に施すことができる端末装置を提供する。【解決手段】ケース部材５１が装飾部材５９を着脱可能に保持するとともに、ケース部材５１と、当該ケース部材５１にその端部が固定された透明部材５４とが形成する空間５８に装飾部材５９が収納されるようになっている。このため、当該空間５８に収納され、外部から可視の装飾部材５９を、透明部材５４をケース部材５１から取り外すことなく、開口５７を介して、容易に、その時々の利用者の趣味感に合わせて交換することができる。【選択図】図５
2005295410.tif 000002
【特許請求の範囲】
【請求項１】
内部に部品を収納するとともに、表面の少なくとも一部を装飾するための装飾部材を保持するケース部材と；
前記装飾部材を収納する空間を前記ケース部材とともに形成し、その端部が前記ケース部材に固定されている透明部材と；を備える端末装置。
【請求項２】
前記ケース部材及び前記透明部材の少なくとも一方の一端部には、前記装飾部材を挿抜可能な開口が形成されている、ことを特徴とする請求項１に記載の端末装置。
【請求項３】
前記開口近傍の前記ケース部材及び前記透明部材の少なくとも一方に前記装飾部材の前記開口からの脱落を防止するための脱落防止機構が設けられている、ことを特徴とする請求項２に記載の端末装置。
【請求項４】
内部に部品を収納するケース部材と；
前記ケース部材に対して回動可能に接続し、回動により前記ケース部材に対して閉じられたときに、装飾部材を収納する空間を前記ケース部材とともに形成する透明部材と；を備える端末装置。
【請求項５】
内部に部品を収納するケース部材と；
前記ケース部材に対して着脱可能であり、前記ケース部材に接続されたときに、前記部品を収納する閉空間を前記ケース部材とともに形成し、装飾部材を保持する透明部材と；を備える端末装置。
【請求項６】
前記装飾部材はシート状部材である、ことを特徴とする請求項１〜５のいずれか一項に記載の端末装置。
【発明の詳細な説明】
【技術分野】
【０００１】
本発明は、端末装置に係り、より詳しくは端末装置の装飾に関するものである。
【背景技術】
【０００２】
従来から、携帯電話装置を代表とする携帯端末装置が普及している。こうした携帯端末装置は、当初は機能重視であり外観は機能美が考慮される程度であったが、普及が進むにつれて、利用者の趣味感に適合した装飾性やファッション性が重視される傾向にある。
【０００３】
こうした傾向を受け、色彩や光沢に様々な変化を持たせた携帯端末装置が市場に投入されているが、利用者個々人の趣味感を十分に満足させるに至っていない。かかる状況に対処するために、携帯端末装置の前面（操作入力キーの配置面及び表示出力デバイスの表示面）に装飾用のシート状部材を配置する技術が提案されている（特許文献１参照）。
【０００４】
この技術では、携帯端末装置である携帯電話装置のケース部材の前面（操作入力キーの配置面及び表示出力デバイスの表示面）と、当該ケース部材に対して着脱可能な透明部材からなる押さえカバーとの間に装飾用シートを挟みこむようになっている。そして、押さえカバーをケース部材から取り外することにより、装飾用のシート状部材が交換可能なようになっている。
【０００５】
【特許文献１】登録実用新案第３０５４４１４号公報
【発明の開示】
【発明が解決しようとする課題】
【０００６】
上述した従来の技術では、携帯電話装置の前面に装飾を施すこととしているが、折りたたみ可能ないわゆるクラムシェル型の携帯電話装置が主流となっている今日では、前面よりも、自分及び他人の目に触れる機会が多い前面以外の面にこそ自己の趣味感に合った装飾を施すことができることが強く要請されている。これは、機能等が表面に表現された部品表面や表示面部分を除く表面部分は、全て、自己を表現可能な一種のキャンバスとなり得るのであり、そのキャンバスが広い程、有効な自己表現の場となり得るからである。
【０００７】
このため、携帯電話装置の前面以外の部分に、利用者の趣味感に合うペイントを施すことが行われている。こうしたペイントによる表現は一品製作の創作物であるので、ペイントを施した時点における利用者の趣味感にぴったりと一致させることができるが、時間の経過や季節の変化により、利用者の趣味感とズレを生じることが多い。こうした場合には、再度ペイントをし直すことが考えられるが、一般に以前のペイントを除去して新たなペイントを施すには多くの時間と労力を費やすことが必要となる。
【０００８】
本発明は、上記の事情を鑑みてなされたものであり、利用者の趣味感に合わせた装飾を容易に施すことができる端末装置を提供することを目的とする。
【課題を解決するための手段】
【０００９】
本発明の第１の端末装置は、内部に部品を収納するとともに、表面の少なくとも一部を装飾するための装飾部材を着脱可能に保持するケース部材と；前記装飾部材を収納する空間を前記ケース部材とともに形成し、その端部が前記ケース部材に固定されている透明部材と；を備える端末装置である。
【００１０】
この端末装置では、ケース部材が装飾部材を着脱可能に保持するとともに、ケース部材と当該ケース部材にその端部が固定された透明部材とが形成する空間に装飾部材が収納されるようになっている。このため、当該空間に収納され、外部から可視の装飾部材を、透明部材をケース部材から取り外すことなく、容易に、その時々の利用者の趣味感に合わせて交換することができる。したがって、本発明の第１の端末装置によれば、利用者の趣味感に合わせた装飾を容易に施すことができる。
【００１１】
本発明の第１の端末装置では、前記ケース部材及び前記透明部材の少なくとも一方の一端部に、前記装飾部材を挿抜可能な開口が形成されている構成とすることができる。この場合には、当該開口を介して装飾部材を挿抜することにより、容易に、その時々の利用者の趣味感に合わせて装飾部材を交換することができる。
【００１２】
ここで、前記開口近傍の前記ケース部材及び前記透明部材の少なくとも一方に前記装飾部材の前記開口からの脱落を防止するための脱落防止機構が設けられている構成とすることができる。この場合には、脱落防止機構の作用により、当該開口が下方となったとき等における当該開口を介した装飾部材の脱落を防止することができる。
【００１３】
本発明の第２の端末装置は、内部に部品を収納するケース部材と；前記ケース部材に対して回動可能に接続し、回動により前記ケース部材に対して閉じられたときに、装飾部材を収納する空間を前記ケース部材とともに形成する透明部材と；を備える端末装置である。
【００１４】
この端末装置では、ケース部材に対して回動可能に接続し、回動によりケース部材に対して閉じられたときに、装飾部材を収納する空間をケース部材とともに形成する透明部材が備えられている。このため、透明部材をケース部材に対して回動させて、透明部材の回動軸近傍以外をケース部材から分離させることにより、容易に、その時々の利用者の趣味感に合わせて装飾部材を交換することができる。したがって、本発明の第２の端末装置によれば、利用者の趣味感に合わせた装飾を容易に施すことができる。
【００１５】
本発明の第３の端末装置は、内部に部品を収納するケース部材と；前記ケース部材に対して着脱可能であり、前記ケース部材に接続されたときに、前記部品を収納する閉空間を前記ケース部材とともに形成し、装飾部材を保持する透明部材と；を備える端末装置である。
【００１６】
この端末装置では、例えば電池部カバーのように、ケース部材に対して着脱可能であり、ケース部材に接続されたときに、部品を収納する閉空間をケース部材とともに形成することが予定されている部材を、装飾部材を保持可能な透明部材としている。このため、透明部材をケース部材から取り外し、装飾部材を取り替えることにより、容易に、その時々の利用者の趣味感に合わせて装飾部材を交換することができる。したがって、本発明の第３の端末装置によれば、利用者の趣味感に合わせた装飾を容易に施すことができる。
【００１７】
本発明の第１〜３の端末装置では、前記装飾部材をシート状部材とする構成とすることができる。この場合には、装飾部材の保持や収納のための構造を簡易なものとすることができる。
【発明の効果】
【００１８】
以上説明したように、本発明の第１〜３の端末装置によれば、利用者の趣味感に合わせた装飾を容易に施すことができるという効果を奏する。
【発明を実施するための最良の形態】
【００１９】
《第１実施形態》
まず、本発明の第１実施形態を、図１〜図５を参照して説明する。
【００２０】
図１及び図２には、第１実施形態に係る端末装置である携帯電話装置１０Ａの構成が概略的に示されている。この携帯電話装置１０Ａは、いわゆるクラムシェル型の折りたたみ可能な携帯電話装置である。ここで、図１（Ａ）には携帯電話装置１０Ａの展開状態における外観の正面図が示され、図１（Ｂ）には携帯電話装置１０Ａの展開状態における外観の右側面図が示され、図１（Ｃ）には携帯電話装置１０Ａの展開状態における外観の裏面図が示されている。また、図２には、携帯電話装置１０Ａの機能ブロック構成が示されている。
【００２１】
図１及び図２において総合的に示されるように、携帯電話装置１０Ａは、第１部分１１Ａと、該第１部分１１Ａに対して、軸ＡＸ１を中心軸として回動可能な第２部分１２Ａとを備えている。
【００２２】
第１部分１１Ａは、図１（Ａ）に示されるように、（ａ）テンキー、ファンクションキー等の操作キーが配列された操作部２１と、（ｂ）通話時に音声を入力するためのマイクロフォン２２とが配置されている。また、図１（Ｃ）に示される裏面側には、（ｃ）着信音や案内音を発生するための案内用スピーカ３２が配置されている。なお、操作部２１には、通話又はＥメイルの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれている。
【００２３】
また、第１部分１１Ａは、図２に示されるように、上記の要素に加えて、その内部に、（ｄ）中央処理装置（ＣＰＵ）、デジタル信号処理装置（ＤＳＰ）等を備え、携帯電話装置１０Ａの全体の動作を統括制御する制御部４０と、（ｅ）基地局との間で無線信号を授受するための内蔵型アンテナ４１と、（ｆ）アンテナ４１を介して通信信号の送受信を行う送受信部４２と、（ｇ）プログラムやデータを格納する記憶部４３とを備えている。
【００２４】
第２部分１２Ａは、図１（Ａ）に示されるように、（ａ）操作案内、動作状況、受信メッセージ、後述する撮像部３３による撮像結果等を表示するメインディスプレイ２８と、（ｂ）通話時に通信相手から送られてきた音声信号を再生する通信用スピーカ２９とを備えている。また、第２部分１１Ａにおけるメインディスプレイ２８の表示面を正面としたときの背面側には、図１（Ｃ）に示されるように、（ｃ）補助的な表示を行うサブディスプレイ３１と、（ｄ）結像光学系の視野内の像を撮像する撮像部３３とが配置されている。
【００２５】
次に、サブディスプレイ３１の配置面側に主に着目した第２部分１２Ａの構成を、図３を参照して説明する。ここで、図３（Ａ）には、第１部分１１Ａと第２部分１２Ａとを折りたたんだ場合における、サブディスプレイ３１の配置面側を主に着目した斜視図が示されている。また、図３（Ａ）に示される折りたたみ状態におけるサブディスプレイ３１の配置面側を正面としたときの正面図が図３（Ｂ）に、右側面図が図３（Ｃ）に、底面図が図４（Ｄ）に示されている。
【００２６】
図３（Ａ）〜図３（Ｄ）により総合的に示されるように、第２部分１２Ａは、ケース部材５１と、透明部材５４とを備えている。ここで、ケース部材５１は、ケース本体部５２と、後述する装飾部材５９（図４参照）を、ケース本体部５２と協働して保持する保持部５３とを備えている。
【００２７】
保持部５３の中央部には大きな開口が形成されており、当該開口に嵌められる態様で、透明部材５４が保持部５３に固定的に接続されている。そして、ケース部材５１と透明部材５４とによって、装飾部材５９を収納するための空間５８が形成されるようになっている。
【００２８】
また、保持部５３は、ケース部材５１における第１部分１１Ａと第２部分１２Ａとの接続部から見たときにおけるケース部材５１の遠端部に、空間５８への装飾部材５９の挿入や当該空間５８からの装飾部材５９の抜去を可能とするための開口５７が形成される形状とされている。また、開口５７の近傍におけるケース本体部５２の表面には、空間５８に収納された装飾部材５９の重力等による脱落を防止するための凸状突起５６が設けられている。
【００２９】
空間５８に収納される装飾部材５９は、図４（Ａ）及び図４（Ｂ）により総合的に示されるように、可撓性を有するシート状部材であり、その表面に模様が描画されている。このため、装飾部材５９が空間５８に収納された場合には、透明部材５４を介して、装飾部材５９の表面の模様が、利用者にとって可視となる。
【００３０】
また、装飾部材５９の中央部には、空間５８に収納されたときに、サブディスプレイ３１の表示面に対応する領域に開口５９Ｏが形成されている。このため、装飾部材５９が空間５８に収納されたときであっても、サブディスプレイ３１における表示は、透明部材５４を介して、利用者にとって可視となる。
【００３１】
装飾部材５９の空間５８への挿入又は空間５８からの抜去は、図５に示されるように、開口５７を介して行われる。そして、装飾部材５９の空間５８への挿入後は、凸状突起５６により、装飾部材５９の空間５８からの脱落が防止される。
【００３２】
以上説明したように、本第１実施形態の携帯電話装置１０Ａでは、ケース部材５１が装飾部材５９を着脱可能に保持するとともに、ケース部材５１と、当該ケース部材５１にその端部が固定された透明部材５４とが形成する空間５８に装飾部材５９が収納されるようになっている。このため、当該空間５８に収納され、外部から可視の装飾部材５９を、透明部材５４をケース部材５１から取り外すことなく、容易に、その時々の利用者の趣味感に合わせて交換することができる。したがって、本第１実施形態の携帯電話装置１０Ａによれば、利用者の趣味感に合わせた装飾を容易に施すことができる。
【００３３】
また、ケース部材５１の一端部に、装飾部材５９を挿抜可能な開口５７が形成されているので、当該開口５７を介して装飾部材５９を挿抜することにより、容易に、その時々の利用者の趣味感に合わせて装飾部材５９を交換することができる。
【００３４】
また、開口５７近傍のケース部材５１には、装飾部材５９の開口５７を介した脱落を防止するための脱落防止機構である凸状突起５６が設けられているので、凸状突起５６の作用により、開口５７が下方となったとき等における当該開口５７を介した装飾部材の脱落を防止することができる。
【００３５】
また、装飾部材５９をシート状部材としているので、装飾部材５９の保持や収納のための構造を簡易なものとすることができる。
【００３６】
なお、上記の第１実施形態では、ケース部材５１の保持部５３をＯ字状の形状とした。これに対して、保持部５３を開口５７側が開いたＵ字状の形状とし、透明部材５４をこれに合わせた形状とすることもできる。この場合には、ケース本体部５２、保持部５３及び透明部材５４により開口５７が形成されることになる。
【００３７】
また、保持部５３を開口５７側が開いたＵ字状の形状とし、開口５７の形成に透明部材５４が寄与する場合には、脱落防止機構を透明部材５４に設けることにしてもよい。
【００３８】
また、上記の第１実施形態では、第２部分１２Ａを装飾する場合について説明したが、第１部分１１Ａの操作面側とは反対側の装飾を、上記の第１実施形態の場合と同様に施すようにすることもできる。
【００３９】
《第２実施形態》
次に、本発明の第２実施形態を、図６〜図１４を参照して説明する。
【００４０】
図６及び図７には、一実施形態に係る移動体端末装置である携帯電話装置１０Ｂの構成が概略的に示されている。ここで、図６（Ａ）には携帯電話装置１０Ｂの外観の正面図が示され、図６（Ｂ）には携帯電話装置１０Ｂの外観の右側面図が示され、図６（Ｃ）には携帯電話装置１０Ｂの外観の裏面図が示されている。また、図７には、携帯電話装置１０Ｂの機能ブロック構成が示されている。
【００４１】
図６及び図７において総合的に示されるように、携帯電話装置１０Ｂは、第１部分１１Ｂと、該第１部分１１Ｂに対して、軸ＡＸ１を中心軸として回動可能な第２部分１２Ｂとを備えている。そして、第２部分１２Ｂは、第１部分１１Ｂ側に配置された基台部１５と、該基台部１５に対して、軸ＡＸ２を中心軸として回動可能な表示部１６とを有している。そして、表示部１６の回転状態や、操作部２１を介した利用者の指令により、通信モード動作とカメラモード動作とが切り換わるようになっている。
【００４２】
第１部分１１Ｂの図６（Ａ）に示される操作面側には、（ａ）テンキー、ファンクションキー等の操作キーが配列された通信用操作部２１と、（ｂ）通話時に音声を入力するためのマイクロフォン２２とが配置されている。ここで、通信用操作部２１には、通話又はＥメイルの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれているものとする。
【００４３】
また、図６（Ｂ）に示される右側面側には、（ｃ）カメラモードで動作しているときに操作が有効となるカメラ用縦方向キー２３、カメラ用決定キー２５及びシャッタ２６からなるカメラ用操作部が配置されている。また、第１部分１１Ｂの上側面側には、（ｄ）カメラモードで動作しているときに操作が有効となるカメラ用横方向ダイアル２４が配置されている。さらに、図６（Ｃ）に示される裏面側には、（ｅ）表示部１６に搭載されたメインディスプレイ２８に対して、補助的な表示を行うサブディスプレイ３１と、（ｆ）着信音や案内音を発生するための案内用スピーカ３２と、（ｇ）結像光学系の視野内の像を撮像する撮像部３３とが配置されている。
【００４４】
第１部分１１Ｂは、図７に示されるように、上記の要素に加えて、その内部に、（ｈ）中央処理装置（ＣＰＵ）、デジタル信号処理装置（ＤＳＰ）等を備え、携帯電話装置１０の全体の動作を統括制御する制御部４０、（ｉ）基地局との間で無線信号を授受するための内蔵型アンテナ４１と、（ｊ）アンテナ４１を介して通信信号の送受信を行う送受信部４２と、（ｋ）プログラムやデータを格納する記憶部４３とを備えている。また、第１部分１１Ｂは、その内部に、（ｌ）電池が収納される電源部４５を更に備えている。
【００４５】
第２部分１２Ｂにおける表示部１６は、図６（Ａ）に示されるように、（ａ）操作案内、動作状況、受信メッセージ、後述する撮像部３３による撮像結果等を表示するメインディスプレイ２８と、（ｂ）通話時に通信相手から送られてきた音声信号を再生する通話用スピーカ２９とを備えている。
【００４６】
次に、メインディスプレイ２８の配置面側とは反対側に主に着目した第２部分１２Ｂの構成を、図８を参照して説明する。ここで、図８（Ａ）には、図６の状態から第１部分１１Ｂと第２部分１２Ｂとを折りたたんだ場合における、メインディスプレイ２８の配置面側とは反対側を主に着目した斜視図が示されている。また、図８（Ａ）に示される折りたたみ状態におけるメインディスプレイ２８の配置面側とは反対側を正面としたときの正面図が図８（Ｂ）に、右側面図が図８（Ｃ）に、底面図が図８（Ｄ）に示されている。
【００４７】
図８（Ａ）〜図８（Ｄ）により総合的に示されるように、表示部１６は、ケース部材６１と、透明部材６２とを備えている。ここで、透明部材６２は、第１部分１１Ｂと第２部分１２Ｂとの接続部側において、ケース部材６１に対して回動可能に接続されている。なお、ケース部材６１には、ケース部材６１に対して透明部材６２が閉じられたときに透明部材６２を保持するための保持機構６３が設けられている。また、ケース部材６１に対して透明部材６２が閉じられたときには、ケース部材６１と透明部材６２とにより、後述する装飾部材６５（図９参照）を収納するための空間６４が形成されるようになっている。
【００４８】
空間６４に収納される装飾部材６５は、図９（Ａ）及び図９（Ｂ）により総合的に示されるように、シート状部材であり、その表面に模様が描画されている。このため、装飾部材６５が空間６４に収納された場合には、透明部材６２を介して、装飾部材６５の表面の模様が、利用者にとって可視となる。なお、装飾部材６５は可撓性をある程度有していることが好ましいが、上述した第１実施形態における装飾部材５９として必須の程度の可撓性までは要求されない。
【００４９】
装飾部材６５の空間６４への収納及び空間６４からの取り出しは、図１０に示されるようにして行われる。すなわち、装飾部材６５の空間６４への収納は、ケース部材６１に対して透明部材６２を回動させて、ケース部材６１に対して透明部材６２が開いた状態とした後にケース部材６１表面に装飾部材６４を配置する。そして、ケース部材６１に対して透明部材６２を回動させて閉じることにより、ケース部材６１と透明部材６２とによって形成される空間６４に装飾部材６５が収納される。また、装飾部材６５の空間６４からの取り出しは、ケース部材６１に対して透明部材６２を回動させて、ケース部材６１に対して透明部材６２が開いた状態とした後に、ケース部材６１表面に配置された装飾部材６５を取り出すことにより行なわれる。
【００５０】
次に、操作面側とは反対側に主に着目した第１部分１１Ｂの構成を、図１１を参照して説明する。ここで、図１１（Ａ）には、図６の状態から第１部分１１Ｂと第２部分１２Ｂとを折りたたんだ場合における、操作面側とは反対側を主に着目した斜視図が示されている。また、図１１（Ａ）に示される折りたたみ状態における操作面側とは反対側を正面としたときの正面図が図１１（Ｂ）に、右側面図が図１１（Ｃ）に、底面図が図１１（Ｄ）に示されている。
【００５１】
図１１（Ａ）〜図１１（Ｄ）により総合的に示されるように、第１部分１１Ｂは、ケース部材６６と、透明部材６７とを備えている。ここで、透明部材６７は、電池収納部カバーとしての機能を有している。また、透明部材６７は、第１部分１１Ｂに対してスライドさせることにより、第１部分１１Ｂに対して着脱可能とされている。そして、装着されたときには、透明部材６７は、ケース部材６６とともに、電池が収納される閉空間を形成するようになっている。
【００５２】
透明部材６７には、図１２（Ａ）〜図１２（Ｃ）において総合的に示されるように、側壁内面側にケース係合部７１及びシート保持部７２が設けられている。また、透明部材６７には、ケース部材６６に装着されたときに、第１部分１１Ｂと第２部分１２Ｂとの接続部側となる一端部に、ケース部材６６に嵌合するつめ部７３Ｃ，７３Ｒ，７３Ｌが設けられている。
【００５３】
シート保持部７２により保持される装飾部材６９は、図１３（Ａ）及び図１３（Ｂ）により総合的に示されるように、シート状部材であり、その表面に模様が描画されている。このため、装飾部材６５が空間６４に収納された場合には、透明部材６７を介して、装飾部材６９の表面の模様が、利用者にとって可視となる。なお、装飾部材６９は可撓性をある程度有していることが好ましいが、上述した第１実施形態における装飾部材５９や第２実施形態における装飾部材６５に要請される可撓性よりも更に低い可撓性を有していればよい。
【００５４】
装飾部材６９の透明部材６７への装着及び透明部材６７からの取り出しは、図１４に示されるようにして行われる。すなわち、装飾部材６９の透明部材６７への装着は、つめ部７３Ｃ，７３Ｒ，７３Ｌ側から、透明部材６７の平面状部に沿って、シート保持部７２により保持されるようにスライドさせることにより行われる。こうして、装飾部材６９が装着された透明部材６７が、ケース部材６６に装着される。また、ケース部材６６から取り外された透明部材６７のつめ部７３Ｃ，７３Ｒ，７３Ｌ側から、透明部材６７の平面状部に沿って装飾部材６９をスライドさせて引き出すことにより、装飾部材６９が透明部材６７から取り出される。
【００５５】
以上説明したように、本第２実施形態の携帯電話装置１０Ｂでは、第２部分１２Ｂにおいて、ケース部材６１に対して回動可能に接続し、ケース部材６１に対して閉じられたときに、装飾部材６５を収納する空間６４をケース部材６１とともに形成する透明部材６２が備えられている。このため、透明部材６２をケース部材６１に対して回動させて、透明部材６１の回動軸近傍以外をケース部材６１から分離させることにより、容易に、その時々の利用者の趣味感に合わせて装飾部材６５を交換することができる。したがって、利用者の趣味感に合わせた装飾を容易に第２部分１２Ｂに施すことができる。
【００５６】
また、本第２実施形態の携帯電話装置１０Ｂでは、第１部分１１Ｂにおいて、ケース部材６６に対して着脱可能であり、ケース部材６６に接続されたときに、部品を収納する閉空間をケース部材６６とともに形成することが予定されている部材を、装飾部材６９を保持可能な透明部材６７としている。このため、透明部材６７をケース部材６６から取り外し、装飾部材６９を取り替えることにより、容易に、その時々の利用者の趣味感に合わせて装飾部材を交換することができる。したがって、利用者の趣味感に合わせた装飾を容易に第１部分１１Ｂに施すことができる。
【００５７】
また、装飾部材６５，６９をシート状部材としているので、装飾部材６５，６９の保持や収納のための構造を簡易なものとすることができる。
【００５８】
なお、上記の第２実施形態では、第１部分１１Ｂと第２部分１２Ｂとにおいて互いに異なる方式で着脱可能な装飾部材による装飾を行うこととした。これに対して、第１部分１１Ｂと第２部分１２Ｂとにおいて互いに同一又は同等な方式で着脱可能な装飾部材による装飾を行うようにすることも可能である。さらに、第１部分１１Ｂ及び第２部分１２Ｂの一方又は双方において、上述した第１実施形態と同様の方式で、着脱可能な装飾部材による装飾を行うことも可能である。
【００５９】
また、上記の第１及び第２実施形態では、装飾部材をシート状部材の表面に模様が描かれた平面的なものとしたが、浮き彫りや透かし彫りが施された半立体的なものも装飾部材として採用することができる。
【００６０】
また、上記の第１及び第２実施形態では、携帯電話装置に本発明を適用したが、携帯形態電話装置以外の携帯端末装置、更には携帯端末装置以外の端末装置にも本発明を適用することができる。
【産業上の利用可能性】
【００６１】
以上説明したように、本発明の端末装置は、外面側に装飾を施すことがある端末装置に適用することができる。
【図面の簡単な説明】
【００６２】
【図１】本発明の第１実施形態に係る携帯電話装置の外観構成を概略的に示す図である。
【図２】図１の携帯電話装置の機能構成を説明するための機能ブロック図である。
【図３】図１の携帯電話装置における第２部分の構成を説明するための図である。
【図４】図１の携帯電話装置における第２部分に収納される装飾部材の構成を説明するための図である。
【図５】図１の携帯電話装置に対する図４の装飾部材の挿抜を説明するための図である。
【図６】本発明の第２実施形態に係る携帯電話装置の外観構成を概略的に示す図である。
【図７】図６の携帯電話装置の機能構成を説明するための機能ブロック図である。
【図８】図６の携帯電話装置における第２部分の構成を説明するための図である。
【図９】図６の携帯電話装置における第２部分に収納される装飾部材の構成を説明するための図である。
【図１０】図６の携帯電話装置に対する図４の装飾部材の装着及び取り外しを説明するための図である。
【図１１】図６の携帯電話装置における第１部分の構成を説明するための図である。
【図１２】図１１の携帯電話装置における第１部分に装着される透明部材の構成を説明するための図である。
【図１３】図１２の透明部材に保持される装飾部材の構成を説明するための図である。
【図１４】図１２の透明部材に対する図１３の装飾部材の装着及び取り外しを説明するための図である。
【符号の説明】
【００６３】
１０Ａ，１０Ｂ…携帯電話装置（端末装置）、１１Ａ、１１Ｂ…第１部分、１２Ａ、１２Ｂ…第２部分、１５…基台部、１６…表示部、２１…操作部、２２…マイクロフォン、２３…カメラ用縦方向キー、２４…カメラ用横方向ダイアル、２５…カメラ用決定キー、２６…シャッタ、２８…メインディスプレイ、２９…通話用スピーカ、３１…サブディスプレイ、３２…案内用スピーカ、３３…撮像部、４０…制御部、４１…アンテナ、４２…送受信部、４４…記憶部、４５…電源部、５１…ケース部材、５２…ケース本体部、５３…保持部、５４…透明部材、５６…凸状突起（脱落防止機構）、５７…開口、５８…空間、５９…装飾部材、６１…ケース部材、６２…透明部材、６３…保持機構、６４…空間、６５…装飾部材、６６…ケース部材、６７…透明部材、６９…装飾部材、７１…ケース係号部、７２…シート保持部、７３Ｃ，７３Ｒ，７３Ｌ…つめ部。
【図１】
2005295410.tif 000003
【図２】
2005295410.tif 000004
【図３】
2005295410.tif 000005
【図４】
2005295410.tif 000006
【図５】
2005295410.tif 000007
【図６】
2005295410.tif 000008
【図７】
2005295410.tif 000009
【図８】
2005295410.tif 000010
【図９】
2005295410.tif 000011
【図１０】
2005295410.tif 000012
【図１１】
2005295410.tif 000013
【図１２】
2005295410.tif 000014
【図１３】
2005295410.tif 000015
【図１４】
2005295410.tif 000016